(57)【要約】  【課題】金属圧延材33で形成するルーバ羽根31について、金属圧延材33の圧延目34による拡散反射の影響を低減し、輝度や色などの反射特性を安定させたルーバ14を提供する。  【解決手段】ランプ長手方向に沿って配置する中央反射部30の両側に、曲面形状の反射面31aを有する複数のルーバ羽根31を設ける。ルーバ羽根31は、金属圧延材33でこの金属圧延材33の圧延目34方向と反射面31aの曲面形状に沿った上下方向とを合わせて形成する。金属圧延材33の圧延目34による拡散反射の影響を低減し、輝度や色などの反射特性を安定させる。  【選択図】図１
2005190730.tif 000002
【特許請求の範囲】
【請求項１】
曲面形状の反射面が形成されたルーバ部品を備え、
ルーバ部品は、金属圧延材によりこの金属圧延材の圧延目方向と反射面の曲面形状に沿った方向とを合わせて形成されていることを特徴とするルーバ。
【請求項２】
ルーバ部品は、断面略Ｖ字形で両面に曲面形状の反射面を有し、ランプ長手方向に反射面を向けるとともにランプ長手方向に沿って並列に配置される複数のルーバ羽根であることを特徴とする請求項１記載のルーバ。
【請求項３】
ランプ長手方向に沿って配置される中央反射部を備え、この中央反射部のランプ長手方向に対し交差する両側に複数のルーバ羽根がそれぞれ設けられたことを特徴とする請求項２記載のルーバ。
【請求項４】
ランプの光を出射する開口部を有する器具本体と；
器具本体の開口部に配置される請求項１ないし３いずれか一記載のルーバと；
を具備していることを特徴とする照明器具。
【発明の詳細な説明】
【技術分野】
【０００１】
本発明は、金属圧延材により形成されたルーバ、およびこのルーバを備えた照明器具に関する。
【背景技術】
【０００２】
従来、例えば、２本の直管形蛍光ランプを使用する２灯用の照明器具に用いられるルーバでは、ランプ長手方向に沿って配置される両側の側面反射部とランプ長手方向の両端に配置される端板とでルーバ枠が形成され、このルーバ枠の内側に、ランプ長手方向に沿って中央反射部が配置されているとともに、この中央反射部に対し交差する複数のルーバ羽根がランプ長手方向に沿って配列されている（例えば、特許文献１参照。）。
【０００３】
ルーバ羽根は、断面略Ｖ字形で、その両面にランプの光を照射方向である下方へ向けて反射させるために照射方向に対応した上下方向に曲面形状の反射面が形成され、かつ中央反射部の両側にまたがる横幅、つまり両側の側面反射部間の対向間隔に対応した横幅に形成されている。
【０００４】
このようなルーバ羽根は、材料としてロール状に巻回された長尺な例えばアルミシートなどの金属圧延材が使用され、この金属圧延材から切り出されてルーバ羽根形状に加工形成されている。この金属圧延材は、圧延加工のために表面に長手方向に沿って縞状の圧延目が発生しており、反射面の曲面形状に沿った上下方向に対して金属圧延材の圧延目方向が水平方向に交差するようにルーバ羽根が形成されている。これは、２灯用の照明器具に用いられるルーバの場合、ルーバ羽根の横幅が広く、このルーバ羽根の横幅方向を金属圧延材の長手方向に対し交差する幅方向に合わせたのでは幅方向寸法が広い金属圧延材が必要となり、このような幅方向寸法が広い金属圧延材を調達するのが困難になるため、ルーバ羽根の横幅方向を金属圧延材の長手方向に合わせることで、つまり金属圧延材の圧延目方向と反射面の曲面形状に沿った方向とを交差させてルーバ羽根を形成することで、調達しやすい幅方向寸法が狭い金属圧延材を使用可能としている。
【特許文献１】特許第２７４５７９０号公報（第３頁、図１−２）
【発明の開示】
【発明が解決しようとする課題】
【０００５】
しかしながら、従来の金属圧延材により形成されたルーバ羽根では、反射面の曲面形状に沿った上下方向に対して金属圧延材の圧延目方向が水平方向に交差するため、水平方向の縞状の圧延目によって反射面の曲面形状に沿った上下方向にランプからの光が拡散反射し、ルーバ羽根毎に輝度や色などの反射特性にばらつきが生じる問題がある。特に、反射面を曲面形状にすることで水平方向の縞状の圧延目がより強調されるため、拡散反射が顕著になる傾向がある。
【０００６】
本発明は、このような点に鑑みなされたもので、金属圧延材により形成されるルーバ部品について、曲面形状の反射面での拡散反射の影響を低減でき、輝度や色などの反射特性を安定させることができるルーバおよび照明器具を提供することを目的とする。
【課題を解決するための手段】
【０００７】
請求項１記載のルーバは、曲面形状の反射面が形成されたルーバ部品を備え、ルーバ部品は、金属圧延材によりこの金属圧延材の圧延目方向と反射面の曲面形状に沿った方向とを合わせて形成されているものである。
【０００８】
そして、この構成では、ルーバ部品を、金属圧延材によりこの金属圧延材の圧延目方向と反射面の曲面形状に沿った方向とを合わせて形成したので、金属圧延材の圧延目による拡散反射の影響が低減され、輝度や色などの反射特性が安定する。
【０００９】
請求項２記載のルーバは、請求項１記載のルーバにおいて、ルーバ部品は、断面略Ｖ字形で両面に曲面形状の反射面を有し、ランプ長手方向に反射面を向けるとともにランプ長手方向に沿って並列に配置される複数のルーバ羽根であるものである。
【００１０】
そして、この構成では、ルーバ部品が断面略Ｖ字形で両面に曲面形状の反射面を有する複数のルーバ羽根で、これら複数のルーバ羽根の反射面をランプ長手方向に向けるとともにランプ長手方向に沿って並列に配置したので、各ルーバ羽根の輝度や色などの反射特性のばらつきが抑えられる。
【００１１】
請求項３記載のルーバは、請求項２記載のルーバにおいて、ランプ長手方向に沿って配置される中央反射部を備え、この中央反射部のランプ長手方向に対し交差する両側に複数のルーバ羽根がそれぞれ設けられたものである。
【００１２】
そして、この構成では、ランプ長手方向に沿って配置される中央反射部のランプ長手方向に対し交差する両側に複数のルーバ羽根をそれぞれ設ける構造としたので、従来のように中央反射部の両側にまたがる横幅のルーバ羽根に比べて半分の横幅になり、圧延目方向に対して交差する幅方向の寸法が小さい金属圧延材の使用可能で、金属圧延材の調達が容易になる。
【００１３】
請求項４記載の照明器具は、ランプの光を出射する開口部を有する器具本体と；器具本体の開口部に配置される請求項１ないし３いずれか一記載のルーバと；を具備しているものである。
【００１４】
そして、この構成では、請求項１ないし３いずれか一記載のルーバを備えたので、ルーバでの輝度や色などのばらつきを抑えられる。
【発明の効果】
【００１５】
請求項１記載のルーバによれば、ルーバ部品を、金属圧延材によりこの金属圧延材の圧延目方向と反射面の曲面形状に沿った方向とを合わせて形成したので、金属圧延材の圧延目による拡散反射の影響を低減でき、輝度や色などの反射特性を安定させることができる。
【００１６】
請求項２記載のルーバによれば、請求項１記載のルーバの効果に加えて、ルーバ部品が断面略Ｖ字形で両面に曲面形状の反射面を有する複数のルーバ羽根で、これら複数のルーバ羽根の反射面をランプ長手方向に向けるとともにランプ長手方向に沿って並列に配置したので、各ルーバ羽根の輝度や色などの反射特性のばらつきを抑えることができる。
【００１７】
請求項３記載のルーバによれば、請求項２記載のルーバの効果に加えて、ランプ長手方向に沿って配置される中央反射部のランプ長手方向に対し交差する両側に複数のルーバ羽根をそれぞれ設ける構造としたので、従来のように中央反射部の両側にまたがる横幅のルーバ羽根に比べて半分の横幅になり、圧延目方向に対して交差する幅方向の寸法が小さい金属圧延材を使用でき、金属圧延材の調達を容易にできる。
【００１８】
請求項４記載の照明器によれば、請求項１ないし３いずれか一記載のルーバを備えたので、ルーバでの輝度や色などのばらつきを抑えることができる。
【発明を実施するための最良の形態】
【００１９】
以下、本発明の一実施の形態を図面を参照して説明する。
【００２０】
図１はルーバの分解状態の斜視図、図２はルーバのルーバ羽根の斜視図、図３はルーバのルーバ羽根の材料である金属圧延材の斜視図、図４はルーバを用いた照明器具の斜視図である。
【００２１】
図４に示すように、照明器具11は、ランプとして２本の直管形蛍光ランプＬを使用する２灯用の天井埋込形照明器具で、２本の直管形蛍光ランプＬを内包するランプ長手方向に沿って長尺な器具本体12を有し、この器具本体12の下面に直管形蛍光ランプＬの光が出射する開口部13が形成され、この開口部13にルーバ14が着脱可能に取り付けられている。
【００２２】
図１および図４に示すように、ルーバ14は、複数のルーバ部品21によって形成されており、器具本体12の開口部13に配置されるルーバ枠22、およびこのルーバ枠22の内側に取り付けられたルーバ体23を有している。
【００２３】
ルーバ枠22は、ランプ長手方向に沿って配置される両側の側面反射部25とランプ長手方向の両端に配置される両端の端板26とを枠状に組み合わせて形成されており、周縁部には器具本体12の開口部13の内側に係合される複数の取付縁部27，28が取り付けられている。
【００２４】
両側の側面反射部25が互いに対向する面には上下方向に凹状に湾曲した曲面形状の反射面25aが形成され、この反射面25aにはルーバ体23を取り付けるための複数の取付溝29が形成されている。
【００２５】
また、ルーバ体23は、両側の側面反射部25の中間位置でランプ長手方向に沿って配置される中央反射部30とこの中央反射部30のランプ長手方向に対し交差する両側にそれぞれ取り付けられた複数のルーバ羽根31とを組み合わせて形成されており、中央反射部30の両端がルーバ枠22の端板26に連結され、各ルーバ羽根31の端部が両側面反射部25の各取付溝29に係合されて取り付けられている。
【００２６】
中央反射部30は、断面略Ｖ字形に形成され、その両外側面には上下方向に凹状に湾曲した曲面形状の反射面30aが形成されている。
【００２７】
各ルーバ羽根31は、断面略Ｖ字形に形成され、その両外側面には上下方向に凹状に湾曲した曲面形状の反射面31aが形成され、かつ側面反射部25と中央反射部30との間の対向間隔に対応した横幅寸法に形成されている。各ルーバ羽根31は、１枚の板素材から形成されたもので、板素材の中央部に上面部31bの幅を残して両反射面31aが折曲され、その両反射面31aの先端が互いに接合されている。
【００２８】
このルーバ羽根31には、図３に示すように、材料としてロール状に巻回された長尺な例えばアルミシートなどの金属圧延材33が使用され、この金属圧延材33から切り出されてルーバ羽根形状に加工形成されている。この金属圧延材33は圧延加工のために表面に長手方向に沿って縞状の圧延目34が発生しており、ルーバ羽根31を切り出すときにこのルーバ羽根31の横幅方向を金属圧延材33の長手方向に対し交差する幅方向に合わせて切り出すことにより、図２に示すように、金属圧延材33の圧延目34方向を反射面31aの曲面形状に沿った上下方向に合わせて形成されている。
【００２９】
そして、器具本体12の開口部13より上側に２本の直管形蛍光ランプＬが内包され、これら２本の直管形蛍光ランプＬの下側である器具本体12の開口部13にルーバ14が配置される。
【００３０】
２本の直管形蛍光ランプＬの点灯により、２本の直管形蛍光ランプＬからの直接光がルーバ14の間を通じて下方の照射方向へ向けて出射されるとともに、ルーバ14の側面反射部25の反射面25a、中央反射部30の反射面30a、および複数のルーバ羽根31の反射面31aで反射した光が下方の照射方向へ向けて出射される。
【００３１】
ルーバ部品21であるルーバ羽根31は、図２に示すように、金属圧延材33によりこの金属圧延材33の圧延目34方向と反射面31aの曲面形状に沿った上下方向とを合わせて形成しているので、直管形蛍光ランプＬからの光が圧延目34によって拡散反射するのを低減でき、直管形蛍光ランプＬからの光を曲面形状の反射面31aで所望の照射方向に反射でき、ルーバ羽根31の輝度や色などの反射特性を安定させることができる。そのため、ランプ長手方向に反射面31aを向けてランプ長手方向に沿って並列に配置された各ルーバ羽根31の輝度や色などのばらつきを抑えることができる。
【００３２】
また、ランプ長手方向に沿って配置される中央反射部30のランプ長手方向に対し交差する両側に複数のルーバ羽根31をそれぞれ設ける構造としたので、従来のように中央反射部の両側にまたがる横幅のルーバ羽根に比べて半分の横幅になり、圧延目34方向に対して交差する幅方向の寸法が小さい金属圧延材33を使用でき、金属圧延材33の調達を容易にできる。
【００３３】
また、ルーバ羽根31は、１本の直管形蛍光ランプＬを使用する照明器具11にも共用でき、あるいは３本以上の直管形蛍光ランプＬを使用する照明器具11にも複数の中央反射部30と組み合わせることで共用でき、複数種類のルーバ14に共通化できる。
【００３４】
なお、金属圧延材33によりこの金属圧延材33の圧延目34方向と反射面の曲面形状に沿った方向とを合わせて形成するルーバ部品としては、ルーバ羽根31に限らず、中央反射部30、側面反射部25および端板26などに適用することもできる。
【図面の簡単な説明】
【００３５】
【図１】本発明の一実施の形態を示すルーバの分解状態の斜視図である。
【図２】同上ルーバのルーバ羽根の斜視図である。
【図３】同上ルーバのルーバ羽根の材料である金属圧延材の斜視図である。
【図４】同上ルーバを用いた照明器具の斜視図である。
【符号の説明】
【００３６】
11    照明器具
12    器具本体
13    開口部
14    ルーバ
21    ルーバ部品
30    中央反射部
31    ルーバ羽根
31a   反射面
33    金属圧延材
34    圧延目
Ｌ    ランプ
【図１】
2005190730.tif 000003
【図２】
2005190730.tif 000004
【図３】
2005190730.tif 000005
【図４】
2005190730.tif 000006